(57)【要約】【課題】  主表示部が露出するように折畳み可能な携帯電話機ではマナーモードの設定用にキーを割り当てるにも限界があり、マナーモードの設定・解除が煩雑となる問題があった。また、所定のキー操作によるマナーモードの設定や、アンテナの状態等特定機能の状態によるマナーモードの設定は、携帯電話機の機能が複雑高度化するなかで利便性が向上できない問題があった。【解決手段】  第１筐体と第２筐体の回転および開閉状態を検知し、自動的にマナーモードを設定する。携帯中の可能性が最も高い表示部を内側にして閉じた状態以外はマナーモードをオンにすることにより、周囲に着信音等の迷惑をかける可能性が低くなる。また、キー操作による第１マナーモード設定と筐体の状態検知による第２マナーモード設定を可能とし、筐体の状態によって第１マナーモードを優先して設定する。これによりさらに状況に応じたマナーモードを使い分けることができる。【選択図】    図１
2005198171.tif 000002
【特許請求の範囲】
【請求項１】
第１筐体と、
該第１筐体に対して回転および折畳み可能な第２筐体と、
前記第１または第２筐体の少なくともいずれか一方に設けられた表示部と、
無線通信手段と、
前記第１筐体と前記第２筐体の回転および／または折畳み状態を検知する状態検知手段と、
前記無線通信手段を用いた通信に関する条件を切り換えるマナーモードの設定を制御するマナーモード設定手段を有し、
前記状態検知手段で検知した前記第１および第２筐体の状態に応じて前記マナーモード設定手段により前記マナーモードを設定することを特徴とする携帯通信端末。
【請求項２】
前記状態検知手段は、前記表示部が露出する状態で前記第１および第２筐体を折畳んだ状態を検知し、自動的に前記マナーモードを設定することを特徴とする請求項１に記載の携帯通信端末。
【請求項３】
前記状態検知手段は、前記第１および第２筐体を開いた状態を検知し、自動的に前記マナーモードを設定することを特徴とする請求項１に記載の携帯通信端末。
【請求項４】
第１筐体と、
該第１筐体に対して回転および折畳み可能な第２筐体と、
前記第１または第２筐体の少なくともいずれか一方に設けられた表示部と、
前記第１または第２筐体のいずれかに設けられたキー操作部と、
無線通信手段と、
前記第１筐体と前記第２筐体の回転および／または折畳み状態を検知する状態検知手段と、
前記無線通信手段を用いた通信に関する条件を切り換える第１マナーモードおよび第２マナーモードの設定を制御するマナーモード設定手段を有し、
前記状態検知手段で検知した前記第１および第２筐体の状態に応じて前記マナーモード設定手段により前記第１または第２マナーモードを設定することを特徴とする携帯通信端末。
【請求項５】
前記第１および第２マナーモードは設定内容が異なることを特徴とする請求項４に記載の携帯通信端末。
【請求項６】
前記第１マナーモードは前記キー操作部の操作により設定され、前記第２マナーモードは前記状態検知手段が検知した前記第１および第２筐体の状態に応じて自動的に前記マナーモード設定手段により設定されることを特徴とする請求項４に記載の携帯通信端末。
【請求項７】
前記マナーモード設定手段は、前記第１マナーモードが設定されている状態の場合は前記第１および第２筐体の状態に応じて前記第１マナーモードを前記第２マナーモードに優先して設定することを特徴とする請求項６に記載の携帯通信端末。
【発明の詳細な説明】
【技術分野】
【０００１】
この発明は、一般的には、携帯通信端末に関し、より特定的には、２つの筐体が回動可能に取り付けられて構成される携帯通信端末に関する。
【背景技術】
【０００２】
従来、携帯電話機に代表されるような上部筐体と下部筐体を折畳み可能にした携帯通信端末が広く普及している。そして、携帯通信端末の多機能化から筐体を回転および折畳み可能とし、閉じた状態で、主表示部を視認できるものが知られている。また、携帯電話機等の携帯通信端末では、着信音が周囲の人の迷惑にならないように着信音の有無を切り換えたり、周囲の人の迷惑にならないように喋った小さな声を拾うように集音を高感度にしたり、無線通信の際の電磁波による医療機器への影響を考慮して無線通信機能を不動作にする等のマナーモードと呼ばれる機能が付加されている。
【０００３】
図１１には、従来の携帯電話機２００を示す。
【０００４】
図１１（Ａ）は上下筐体を開いた状態の外観図を示し、図１１（Ｂ）は上下筐体を閉じた状態の外観図を示す。
【０００５】
一般的に、図の如く上部筐体１０５に主表示部１０６やスピーカ１０７などが設けられ、下部筐体１０１には、キー操作部１０２やマイク１０３などが設けられている。そして、例えば上部筐体１０５と下部筐体１０１は第１の回転軸ｃ１により開閉自在となっており、上部筐体１０５は、第２の回転軸ｃ２の周りに回転自在となっている。すなわち、上部筐体１０５を第１の回転軸ｃ１により開いて、第２の回転軸ｃ２により１８０度回転し、再び第１の回転軸ｃ１により閉じることにより、図１１（Ｂ）の如く主表示部１０６を外側に露出した状態で折畳むことができる（例えば特許文献１参照）。
【０００６】
また、携帯電話機では、折畳み式あるいはストレート式を問わず、一般的に周囲に配慮するためマナーモードの設定が可能となっている。
【０００７】
そして、マナーモードへのモード変更は、操作ボタンを押下するなど、ユーザの手動により設定している（例えば特許文献２参照）。
【０００８】
あるいは、アンテナの伸縮の状態を検知してマナーモードを設定するものも知られている（例えば特許文献３参照）。
【０００９】
さらには、温度センサにより体温を検知してマナーモードに切り換える技術や、折畳み可能な筐体において、筐体を開いたことにより着信音を停止する技術も知られている（例えば特許文献４、５参照）。
【特許文献１】特開２００１−２９８５１３号公報
【特許文献２】特開平７−２０３５２６号公報
【特許文献３】特開２０００−３４９８６７号公報
【特許文献４】特開２００２−２９０５０８号公報
【特許文献５】特開２００２−３３７８９号公報
【発明の開示】
【発明が解決しようとする課題】
【００１０】
上記のごとく、上部筐体１０５を下部筐体１０１に対して回転および折畳み自在にした携帯電話機２００においては、主表示部１０６を露出して折り畳んだ状態で各種機能が実行できるようになっている。そして、その場合キー操作部１０２が内側になることから、主要な機能のみを割り当てたボタンが、筐体に付加されている場合がある。しかし、閉じた状態で操作できるボタンの数にも限界があり、マナーモードの設定および解除に少ない操作ボタンを割り当てることが難しい問題がある。
【００１１】
また、操作ボタンによるマナーモードへの変更は、ボタンの押下を忘れることもあり、利便性がよくない問題があった。
【００１２】
さらに、アンテナの状態検知や、筐体の開閉状態の検知によるマナーモードの設定や着信音の停止は、閉じたまま各種機能の実行や操作を可能とする携帯電話機においては、却って操作を煩雑にする問題があった。
【００１３】
一方、主表示部を露出して折畳んだ状態（図１１（Ｂ））と、上下筐体を開いた状態（図１１（Ａ））では、携帯電話機を利用する状況が異なる場合が多い。例えばメールを作成、送信するので有れば開いた状態であるが、メールやインターネットの閲覧のみであれば、主表示部を露出して折畳んだ状態で十分である場合などである。
【００１４】
すなわち、筐体の開閉状態に応じた利用状況があるのであれば、これらの状態に応じたマナーモードも必要となる。しかし、従来はマナーモードは設定および解除の選択のみであり、携帯電話機の利用状況に応じた設定は不可能であった。
【課題を解決するための手段】
【００１５】
本発明は上述した諸々の事情に鑑み成されたものであり、第１に、第１筐体と、該第１筐体に対して回転および折畳み可能な第２筐体と、前記第１または第２筐体の少なくともいずれか一方に設けられた表示部と、無線通信手段と、前記第１筐体と前記第２筐体の回転および／または折畳み状態を検知する状態検知手段と、前記無線通信手段を用いた通信に関する条件を切り換えるマナーモードの設定を制御するマナーモード設定手段を有し、前記状態検知手段で検知した前記第１および第２筐体の状態に応じて前記マナーモード設定手段により前記マナーモードを設定することにより解決するものである。
【００１６】
また、前記状態検知手段は、前記表示部が露出する状態で前記第１および第２筐体を折畳んだ状態を検知し、自動的に前記マナーモードを設定することを特徴とするものである。
【００１７】
また、前記状態検知手段は、前記第１および第２筐体を開いた状態を検知し、自動的に前記マナーモードを設定することを特徴とするものである。
【００１８】
第２に、第１筐体と、該第１筐体に対して回転および折畳み可能な第２筐体と、前記第１または第２筐体の少なくともいずれか一方に設けられた表示部と、前記第１または第２筐体のいずれかに設けられたキー操作部と、無線通信手段と、前記第１筐体と前記第２筐体の回転および／または折畳み状態を検知する状態検知手段と、前記無線通信手段を用いた通信に関する条件を切り換える第１マナーモードおよび第２マナーモードの設定を制御するマナーモード設定手段を有し、前記状態検知手段で検知した前記第１および第２筐体の状態に応じて前記マナーモード設定手段によりが前記第１または第２マナーモードを設定することにより解決するものである。
【００１９】
また、前記第１および第２マナーモードは設定内容が異なることを特徴とするものである。
【００２０】
また、前記第１マナーモードは前記キー操作部の操作により設定され、前記第２マナーモードは前記状態検知手段が検知した前記第１および第２筐体の状態に応じて自動的に前記マナーモード設定手段により設定されることを特徴とするものである。
【００２１】
また、前記マナーモード設定手段は、前記第１マナーモードが設定されている状態の場合は前記第１および第２筐体の状態に応じて前記第１マナーモードを前記第２マナーモードに優先して設定することを特徴とするものである。
【発明の効果】
【００２２】
本発明によれば以下の効果が得られる。
【００２３】
第１に、第１筐体と第２筐体の状態を検知し、自動的にマナーモードを設定することができる。両筐体を開いた場合あるいは主表示部が露出するように折畳んだ場合には、マナーモードを設定することが多い状況であると予想されるので、これらの場合に自動的にマナーモードを設定することにより、操作性および利便性を向上させることができる。
【００２４】
第２に、主表示部が露出するように折畳んだ状態では、筐体に配置する操作キーの数にも限度があるが、状態検知によりマナーモード設定手段が自動的にマナーモード設定するので、マナーモード設定のためのキーを割り当てる必要がなく少ない操作キーを有効に活用できる。
【００２５】
第３に、マナーモードとしてはユーザのキー操作により設定可能となる第１マナーモードと、筐体の状態検知により自動的に設定される第２マナーモードが設定できる。これにより、異なったレベルのマナーモード設定を可能とし、筐体の開閉状態すなわちその利用状況に応じてマナーモードを設定することができる。
【００２６】
第４に、マナーモード設定手段により、第１のマナーモードは第２のマナーモードに優先して設定される。つまり、ユーザの所望する第１のマナーモードの設定が有る場合には、ユーザは一度マナーモード設定の操作キーを押下しておけば、それを解除するまで筐体の状態に応じて第１のマナーモードと第２のマナーモードを切換えて使い分けることができる。
【００２７】
これにより、より迅速に、また利用状況に応じた汎用性の高いマナーモードの設定が可能となる。
【発明を実施するための最良の形態】
【００２８】
この発明の実施の形態について携帯電話機を例に、図面を参照して説明する。
【００２９】
本発明の携帯機器は、クラムシェルタイプの携帯電話機であり、第１筐体と、第２筐体と、第１表示部と、第２表示部と、状態検知手段と、表示制御手段とから構成され、備える一方の筐体を表裏反転させることができる。
【００３０】
まず図１から図８を参照して本発明の第１の実施形態について詳述する。図１から図６は、回転および折畳み機構について説明する図である。
【００３１】
図１は、この発明の第１の実施の形態における携帯電話機の開いた状態を示す斜視図である。図２は、図１中の携帯電話機の閉じた状態を示す斜視図である。図３は、図２中の矢印ＩＩＩから見た携帯電話機を示す斜視図である。
【００３２】
携帯電話機１は、第１筐体２と、第１筐体２に対して回動軸５を中心に回動自在に連結された第２筐体６と備える。第２筐体６を第１筐体２に対して角変位自在に動かすことによって、携帯電話機１の形状は、図１に示す開いた状態と図２および図３に示す閉じた状態との間で変化する。
【００３３】
図１および図２を参照して、第１筐体２は、略矩形形状の表面３ａを有するベース部３と、表面３ａの所定位置から突出して形成された突出部４とからなる形状を有する。表面３ａは、携帯電話機１を開いた状態で外側に面し、閉じた状態で内側に面する表面である。
【００３４】
表面３ａには、キー操作部１８が設けられる。キー操作部１８は、数字および文字を入力するためのキーなどから構成される入力キー群１８ａと、携帯電話機１における各種設定／機能切換を行うための機能キー群１８ｂとからなる。入力キー群１８ａには、マナーモードキー１００が配置される。また表面３ａには、キー操作部１８の近傍に通話用のマイク２０が設けられている。
【００３５】
第１筐体２の内部には図示しないカメラ部が収納され、第１筐体２の側面の一方には、カメラ部の使用時に操作されるシャッターボタン１１が設けられている。
【００３６】
第２筐体６は、突出部４に隣合って位置する。また第２筐体６は、突出部４に回動自在に設けられたヒンジ部７と、ヒンジ部７に対して回転軸９を中心に回転自在に設けられた筐体８とから構成されている。回転軸９は、突出部４の中心で回動軸５に直交している。
【００３７】
筐体８は、図１の状態ではヒンジ部７の表面７ａと隣接する略矩形形状の表面８ａを有する。表面８ａには第１表示部１３が設けられている。第１表示部１３は、液晶ディスプレイやＥＬ(ｅｌｅｃｔｒｏ  ｌｕｍｉｎｅｓｃｅｎｔ)ディスプレイなどによって構成されており、表示ドライバを介して与えられる画像データに基づいて画像を表示する。第１表示部１３は、各種アプリケーションを実行する際の主表示部となり、携帯電話機の多機能化に伴って表示領域の拡大が進んでいる。
【００３８】
また、第１表示部１３は、液晶ディスプレイによって構成されている場合に、発光素子である発光ダイオードなどから構成されるバックライトにより背面から照明される。表面８ａには、第１表示部１３の近傍に位置して、通話時などに使用するスピーカ１７が設けられている。
【００３９】
図２のごとく、筐体８は表面８ａに対向する表面８ｂを有する。また、ヒンジ部７の表面７ａに対向する表面７ｂには、第２表示部１４が設けられる。第２表示部１４も、液晶ディスプレイやＥＬ(ｅｌｅｃｔｒｏ  ｌｕｍｉｎｅｓｃｅｎｔ)ディスプレイなどによって構成されており、表示ドライバ部を介して与えられる画像データに基づいて画像を表示する。また、第２表示部１４は、液晶ディスプレイによって構成されている場合に、発光素子である発光ダイオードなどから構成されるバックライトにより背面から照明される。第２表示部１４は、表面８ｂと同一平面に並び、突出部４と表面８ｂの間に配置される。また、後述するが、筐体８の回転により、第２表示部１４は表面８ａと同一平面に並ぶ。
【００４０】
尚、本実施形態において第２表示部１４はヒンジ部７の表面７ｂに設けられているが、これに限らず、例えば突出部４の裏側となる撮影レンズ１０付近などに設けられてもよく、また第２表示部１４は設けなくてもよい。
【００４１】
図３を参照して、表面３ａの反対側に位置するベース部３の表面３ｂには、突出部４の裏側に位置して撮影レンズ１０およびフラッシュ１５が並んで設けられている。フラッシュ１５は、後に説明するカメラ部で撮影する際の補助光源として使われる。
【００４２】
表面３ｂには、撮影レンズ１０の近傍に位置して、スピーカ２２が並んで設けられている。第１筐体２の内部には、アンテナ１２が昇降自在に設けられている。図中には、降りた状態のアンテナ１２が示されている。
【００４３】
図４から図６は、図１中の第１表示部１３が設けられた筐体８を回転させた場合の携帯電話機を示す斜視図である。図４を参照して、携帯電話機１を開いた状態とし、筐体８を回転軸９を中心に図１に示す状態から９０度だけ回転させる。これにより、筐体８は、第１表示部１３が設けられた表面８ａと、キー操作部１８が設けられた第１筐体２の表面３ａとが直交するように位置決めされる。
【００４４】
図５を参照して、筐体８を回転軸９を中心に図４に示す状態からさらに９０度だけ回転させる。これにより、筐体８は、表面８ａと第１筐体２の表面３ｂとが同一方向を向き、筐体８の表面８ｂと第１筐体２の表面３ａとが同一方向を向くように位置決めされる。なお、図１、図４および図５に示す状態のみならず、筐体８を回転軸９を中心に適当な角度だけ回転させることによって、表面８ａに設けられた第１表示部１３を所望の方向に向けることができる。
【００４５】
この状態で、表面８ａの第１表示部１３と、ヒンジ部７の表面７ｂに設けられた第２表示部１４が同一平面状に並列配置される。このように携帯電話機１では、筐体８が回転自在に設けられている。このため、カメラ部を用いて被写体を撮影する場合に、ユーザは、その撮影の条件にあわせて第１表示部１３の向きを選択することができる。
【００４６】
図６を参照して、筐体８を図５に示す状態に回転させた後、筐体８を回動軸５を中心に回動させる。これにより、携帯電話機１は、表面８ａが外側を向いて第１表示部１３が露出し、第１表示部１３と第２表示部１４が同一平面上に並列配置されたまま表面８ｂが内側を向くように閉じられる。
【００４７】
再び図１を参照して、本発明の携帯電話機は、第１筐体２および第２筐体６に状態検知手段３０を有する。状態検知手段３０は、第１筐体２、６の開閉および回転状態の切換えを検知する。本実施形態の状態検知手段３０は、例えば第１ホール素子３０ａ、第２ホール素子３０ｂ、第３ホール素子３０ｃと、第１マグネット３０ｄ、第２マグネット３０ｅとからなる。
【００４８】
第１ホール素子３０ａ、第２ホール素子３０ｂは第１筐体２に設けられる。その位置は、例えば突出部４の逆側となるキー操作部１８の下方である。また第３ホール素子３０ｃは筐体８と接するヒンジ部７の端部に設けられる。
【００４９】
第１マグネット３０ｄおよび第２マグネット３０ｅは筐体８に設けられ、例えば第１マグネット３０ｄはヒンジ部７の逆側となるスピーカ１７付近に、そして第２マグネット３０ｅは第３ホール素子３０ｃに近接する筐体８のヒンジ部７側端部に設けられる。第１マグネット３０ｄは、閉じた状態で第１ホール素子３０ａまたは第２ホール素子３０ｂと近接する位置に配置し、第２マグネット３０ｅは図１のごとく開いた状態で第３ホール素子３０ｃと近接する位置に配置する。
【００５０】
そして、第１および第２ホール素子３０ａ、３０ｂは第１マグネット３０ｄの磁力でオンオフが切り換り、第３ホール素子３０ｃは第２マグネット３０ｅの磁力によりオンオフが切り換わる。尚、各ホール素子はマグネットの磁力が感知できればよいので、状態検知手段３０は第１筐体２、第２筐体６表面に露出する必要はなく、第１筐体２、第２筐体６内に設けられてもよい。
【００５１】
尚、本実施形態では状態検出手段３０としてマグネットとホール素子を例に説明したがこれに限らず、磁界の強弱を電気抵抗の変化として取り出す他の磁電変換素子や、開閉時の応力を電気抵抗変化に変換する半導体素子からなる感圧素子または他のスイッチであってもよい。
【００５２】
ホール素子と開閉状態の関係の一例を説明すると、第１ホール素子３０ａは第１マグネット３０ｄの磁力を感知してオン状態となる。すなわち第１ホール素子３０ａがオンの場合は、第１表示部１３が内側になるように閉じた状態であり、これを第１状態と称する（図２参照）。
【００５３】
第１ホール素子３０ａ、第２ホール素子３０ｂが第１マグネット３０ｄと近接せずにオフ状態であり、第３ホール素子３０ｃが第２マグネット３０ｅの磁力を感知してオン状態の場合、キー操作部１８と第１表示部１３を同一面側から視認可能に開いた状態であり、これを第２状態と称する（図１参照）。
【００５４】
また、この状態の（すなわちキー操作部１８とともに正常視認が可能な状態の）、筐体８に対する第１表示部１３の表示向きを正像と称する。つまりスピーカ１７方向が「天」、ヒンジ部７方向が「地」となる表示向きを正像とする。
【００５５】
第１ホール素子３０ａ、第２ホール素子３０ｂ、第３ホール素子３０ｃがすべてオフの場合、第１筐体２および第２筐体６を開いて且つ筐体８を回転した状態であり、これを第３状態と称する（図５参照）。
【００５６】
そして、第２ホール素子３０ｂのみオンの場合は、筐体８を回転して第２筐体６を閉じた状態であり、これを第４状態という（図６参照）。尚、この状態では第１表示部１３（および第２表示部１４）が外側に露出した状態で折畳まれ、閉じた状態であっても視認可能である。そして通常第３状態から第４状態にした場合には、ヒンジ部７が上方、スピーカ１７が下方になるようにユーザに保持される。そこで、第４状態では、第１表示部１３は、ヒンジ部７方向が「天」でスピーカ方向が「地」となる表示向きで表示する。
【００５７】
このようにヒンジ部７を中心として第２状態と上下が逆転している第１表示部１３に対して、表示向きも逆転させることにより、第４状態でもユーザは携帯電話機を持ち換えることなく正常視認することができる。この表示向きを正像に対して逆像と称する。
【００５８】
図７は、携帯電話機１の主要な構成の概略を示すブロック図である。本実施の形態の携帯電話機器１は、制御部２１、メモリ２３、表示ドライバ２４、第１表示部１３、第２表示部１４、無線部２５、通信制御部２６、キー操作部１８、アンテナ１２、音声制御部３１、音声入出力部３３、スピーカ１７、２２、マイク２０、バイブレータ３７、状態検知手段３０等を備えている。
【００５９】
制御部２１は、携帯電話機１を構成する各部位の動作を制御し、例えば、メモリ２３、表示ドライバ２４、第１及び第２表示部１３、１４、通信制御部２６、音声制御部３１、音声入出力部３３、バイブレータ３７等を制御する。
【００６０】
制御部２１は、アンテナ１２で受信した電波のうち、呼び出し信号やチャンネル情報等の非音声信号を音声制御部３１やバイブレータ３７、表示ドライバ２４に送出する。これにより着信音が鳴動し、またはバイブレータ３７が振動し、第１表示部１３または第２表示部１４に相手側電話番号等のチャンネル情報が表示される。
【００６１】
また、無線部２５は、アンテナ１２で受信した電波のうち音声信号を、音声制御部３１および音声入出力部３３を介してスピーカ１７、２２から放音する。
【００６２】
マイク２０やキー操作部１８からの音声信号や発呼要求信号等の非音声信号は、制御部２１を介して音声入出力３３、音声制御部３１、無線部２５に送られ、高周波電気信号に変換後アンテナ１２から電波として送信される。
【００６３】
表示ドライバ２４は、制御部２１からの信号を受信し、第１及び第２表示部１３、１４に表示する相手側電話番号やそれに対応する画像データを表示するため、第１及び第２表示部１３、１４の各画素電極に対して駆動電圧を印加する。
【００６４】
キー操作部１８は、上述の如く入力キー群、機能キー群から構成され、入力キー群にはマナーモードキー１００も配置される。後述するが本実施形態では、第１状態以外ではマナーモードが自動設定される。つまり、一時的にマナーモードを解除したい場合にはマナーモード設定キーの押下により解除できる。
【００６５】
アンテナ１２、無線部２５、通信制御部２６の無線通信手段は携帯端末の無線通信を可能とする。アンテナ１２は無線電波を介して基地局と無線通信を行うときに、音声データ、文字データおよび画像データなどを送受信する。無線部２５は、受信時は、基地局からアンテナ２２を介して受信したデータを復調し、送信時は、通信制御部２６から送られてくる文字データおよび画像データなどを変調して増幅し、アンテナ１２を介して基地局に送信する。通信制御部２６は、無線部２５が復調した文字データおよび画像データなどの受信データを所定の通信プロトコルに基づいて制御部２１に送る。アンテナ１２、無線部２５、通信制御部２６を介して受信した相手先からの受信データは、メモリ２３に記憶される。
【００６６】
状態検知手段３０は、上述の如く、ホール素子３０ａ〜３０ｃと、マグネット３０ｄ、３０ｅにより、第１状態から第４状態を検知する。
【００６７】
更に、本実施形態の制御部２１は、マナーモード設定手段３５を有する。マナーモード設定手段３５は、状態検知手段３０により検知された第１筐体２、第２筐体６の開閉および回転状態取得し、その状態に応じてマナーモードを設定および解除する。マナーモードは予めマナーモード設定時の情報としてメモリ２３に登録されており、マナーモード設定手段３５はその情報に基づいてバイブレータ３７、音声入出力部３３、音声制御部３１、通信制御部２６、表示ドライバ２４等に制御信号を送信する。
【００６８】
図８を参照して、本実施形態のマナーモード設定制御フローの一例を説明する。尚、このフローは図１に示す携帯電話機１の場合であり、第１表示部１３と第２表示部１４が並列に配置される場合を示す。つまり、第２表示部１４の配置が異なる場合は、第２表示部のステップはこれに限らない。
【００６９】
ここで、マナーモードとは、着信音が周囲の人の迷惑にならないように着信音の有無を切り換えたり、周囲の人の迷惑にならないように喋った小さな声を拾うように集音を高感度にしたり、無線通信の際の電磁波による医療機器への影響を考慮して無線通信機能を不動作にする設定を含むモードであり、一般的には、着信音の出力を禁止してバイブレータを動作させたり集音を高感度にする等、周囲に配慮が必要な状況に応じた複数の設定を一括して行うモードである。
【００７０】
すなわちマナーモードには予め詳細情報がメモリ２３に登録されている。またユーザは設定されているそれらの詳細情報についてアプリケーションメニューにより変更することができる。
【００７１】
登録されている情報としては例えば、各種着信音（通知音・アラーム音）の有無、着信音量、バイブレータの有無、集音量（感度）、第１（または第２）表示部への表示の有無、ボタン確認音（エラー音・警告音・メロディ再生音）の有無、伝言メッセージの有無等である。
【００７２】
一例として第１の実施形態のマナーモードは、各種着信音オフ、バイブレータオン、伝言メッセージオン、ボタン確認音オフに設定されるとする。
【００７３】
まず、制御部２１は、第１〜第３のホール素子の変化が有るか判断し（ステップＳ１）、変化が有る場合は、第１ホール素子の状態を判断する（ステップＳ２）。第１ホール素子がオンの場合は第１状態（図２参照）である。マナーモード設定手段３５はマナーモードの設定を解除する。これにより、制御部２１から音声制御部３１、バイブレータ３７等に制御信号が送信され、着信音オン、バイブレータオフ、伝言メッセージオフとなる（ステップＳ３）。そして、制御部２１から表示ドライバ２４等に制御信号が送信され、第１表示部１３をオフし（ステップＳ４）、第２表示部１４をオンして第２表示部１４に基本的な機器のステータスを逆像表示する（ステップＳ５）。基本的な機器のステータス表示は例えば電池残量、電波状況、時計、着信通知等である。
【００７４】
本実施形態ではマナーモードが自動的に解除になるのは第１状態の場合のみである。この状態では携帯中である場合が多いと考えられるので、マナーモードを自動的に解除して着信を知らせることとする。
【００７５】
第１ホール素子がオフの場合、制御部２１は第２ホール素子の状態を判断する（ステップＳ６）。第２ホール素子がオンの場合、第４状態（図６参照）であるので、マナーモード設定手段３５はマナーモードを設定する。すなわち、マナーモード設定手３５は、マナーモードの各登録情報を取得し、制御部２１から音声制御部３１、バイブレータ３７等に制御信号を送信する。よって自動的に、着信音オフ、バイブレータオン、伝言メッセージオンとなる（ステップＳ７）。
【００７６】
第４状態は、例えば電車内などでメールの閲覧や、静止画の表示、動画の再生などを行ったり、会議中にメールやスケジュールの確認を行う場合等が考えられる。このような場合に自動的にマナーモードに設定できれば、周囲に着信音等の迷惑をかけることがなくなる。また、第１表示部１３が露出していることから例え周囲に配慮する状況でなくても携帯電話機を機能させていると考えられるので、マナーモードになっていても着信を認識することができる。
【００７７】
そして、制御部２１から表示ドライバ２４等に制御信号が送信され、第１表示部１３をオンしてデータを逆像表示する（ステップＳ８）。また、第２表示部１４もオンし表示データを逆像表示する（ステップＳ９）。
【００７８】
第１および第２ホール素子がオフの場合、第３ホール素子の状態を判断する（ステップＳ１０）。第３ホール素子がオンの場合は第２状態（図１参照）であるので、マナーモードを設定する（ステップＳ１１）。すなわち本実施形態では第２状態でマナーモードが自動設定される。
【００７９】
例えば第１状態で着信後は一般的に筐体を開き第２状態で通話することになる。また、第２状態は、キー操作部１８が操作可能である。すなわち、マナーモードが自動設定されてもそれを解除したい場合には、マナーモードキー１００を押下して解除すればよい。第２状態では携帯電話機を機能させている状態と考えられるので、キー操作によりマナーモードを解除できれば問題はない。
【００８０】
また、第２状態に限らず、第３、第４状態であってもマナーモード設定キーを押下すれば一時的にマナーモードは解除できる。
【００８１】
さらに、第１表示部１３をオンしてデータを正像で表示する（ステップＳ１２）。第２表示部１４は、この場合裏面になるので、オフにする（ステップＳ１３）。
【００８２】
第１〜第３ホール素子がオフの場合は、第３状態（図５参照）である。キー操作部１８と第１表示部１３は同一面側にはないが、第２状態と同様の理由でマナーモード設定手段３５はマナーモードを設定する（ステップＳ１４）。
【００８３】
そして、第１表示部１３をオンして正像でデータを表示し（ステップＳ１５）、第２表示部１４はオフする（ステップＳ１６）。
【００８４】
なお、上述の第１の実施形態では、第１〜第３ホール素子３０ａ〜３０ｃを用いて第１筐体２と第２筐体６の回転および／または折畳み状態を検知し、その検知結果に応じてマナーモードを設定するようにしたが、これに限定されるものではない。例えば第１ホール素子３０ａを用い、第１表示部１３が内側になるように閉じた状態（第１状態）と、それ以外の状態（第２〜第４状態）とを検知し、その検知結果に応じてマナーモードを設定する、すなわち、第１表示部１３が内側になるように閉じられていない状態（第２〜第４状態）においてマナーモードに設定するようにしてもよい。このように構成することで、マナーモードの自動設定を少ないホール素子およびマグネットで実現することができ、またマグネットの削減によって無線通信の際の電磁波への影響を最小限に抑えることができる。
【００８５】
また、上述の第１の実施形態では、第１表示部１３が内側になるように閉じられていない状態（第２〜第４状態）においてマナーモードに設定するようにしたが、これに限定されるものではない。例えば、キー操作部１８と、第１表示部１３を同一面側から視認可能に開いた状態（第２状態）またはキー操作部１８と第１表示部１３とが同一面側から視認不可能となるよう開いた状態（第３状態）あるいは第１表示部１３が外側になるように閉じた状態（第４状態）のうち、１つまたは２つの状態でマナーモードに設定するようにしてもよい。特に、第１表示部１３が外側になるように閉じた状態（第４状態）において無線通信機能を不動作にするマナーモードに設定することで、例えば電車内や病院などでメールの閲覧や、静止画の表示、動画の再生などを行う際に非常に便利であり、また第１表示部１３が外側になるように閉じた状態（第４状態）では、無線通信機能が不動作であることを、広告媒体等を通じて万人に知らしめることで、周囲にも安心感を与えることができる。
【００８６】
次に、第２の実施形態について図９および図１０を参照して説明する。第２の実施形態は、２つのレベルのマナーモードを設定でき、かつ筐体の状態に応じて自動的にいずれかのマナーモードが設定されるものである。
【００８７】
例えば電車内または会議中などで第１表示部のみ視認できればよい場合には第４状態、メール作成・送信または通常の通話機能の場合には第２状態というように、周囲の状況に応じて筐体の状態を使い分ける場合があるので、それに応じてマナーモードも設定できると利便性が向上する。第２の実施形態では、第１マナーモードと第２マナーモードを設定し、筐体の状態に応じて自動的に切り換えるものである。
【００８８】
携帯電話機の外観図および各構成要素、ブロック図は第１の実施形態と同様であるので、説明は省略する。
【００８９】
図１を参照して本実施形態では、キー操作部１８にマナーモードキー１００が配置される。そして、マナーモードキー１００はキー操作部１８に限らず、第１筐体２、第２筐体６のいずれかに設けられていてもよい。
【００９０】
第１マナーモードは、マナーモードキー１００の押下によって設定される。第１マナーモードは、予めユーザによって所定の詳細情報が登録されており、また、ユーザは設定されているそれらの詳細情報についてアプリケーションメニューにより変更することができる。すなわち、第１マナーモードの設定内容はユーザの所望のレベルで登録でき、その設定が有る場合には、筐体の状態に応じて第２マナーモードに優先される。つまり、ユーザは自身の使用状況に応じて第１マナーモードと第２マナーモードを異なるレベルで設定し、使い分けることができる。
【００９１】
第２マナーモードは、筐体の開閉状態に応じてマナーモード設定手段により自動的に設定されるマナーモードであり、予め詳細情報が登録されている。またはユーザは設定されているそれらの詳細情報についてアプリケーションメニューにより変更することができる。
【００９２】
また通話時等（第２状態）でいずれのマナーモードも解除したい場合があるので、第２マナーモードの解除キーを別途配置またはマナーモードキー１００の長押しなどで割り当ててもよい。
【００９３】
マナーモードとして登録されている詳細情報としては例えば、各種着信音（通知音・アラーム音）の有無、着信音量、バイブレータの有無、集音量（感度）、第１（または第２）表示部への表示有無、ボタン確認音（エラー音・警告音・メロディ再生音）の有無等である。
【００９４】
一例として、第２の実施形態の第１マナーモードは、着信音オフ、バイブレータオン、伝言メッセージオン、表示部への表示オン、集音量高感度に設定されるとする。集音量高感度とは、マイクでの集音の感度を高めることである。例えば、周囲に配慮して小声で通話する場合や、閉じた状態（第４状態）での通話においてマイクが多少遠くなる場合など、高感度に設定しておくとよい。
【００９５】
一方第２マナーモードとして、各種着信音オフ、バイブレータオン、伝言メッセージオン、ボタン確認音オフ、集音量通常に設定されるとする。
【００９６】
図９および図１０を参照して、本実施形態のマナーモード設定制御フローの一例を説明する。尚、このフローは図１に示す携帯電話機の場合であり、第１表示部１３と第２表示部１４が並列に配置される場合を示す。つまり、第２表示部１４の配置が異なる場合は、第２表示部１４のステップはこれに限らない。
【００９７】
まず、制御部２１は第１〜第３のホール素子の変化が有るか判断し（ステップＳ２１）、変化が有る場合は、第１ホール素子の状態を判断する（ステップＳ２２）。第１ホール素子がオンの場合、第１状態（図２参照）である。そしてマナーモード設定手段３５は、マナーモードキー１００の押下によって第１マナーモードが設定されているかを判断し（ステップＳ２３）、設定されている場合は第１マナーモードの登録情報を取得する（ステップＳ２４）。この情報に基づいて、制御部２１は、音声制御部３１、バイブレータ３７、表示ドライバ２４等へ制御信号を送信し、着信音オフ、バイブレータオン、伝言メッセージオン、表示部への表示オン、集音量高感度に設定される。
【００９８】
一方第１マナーモードが設定されていない場合には、第２マナーモードも設定しない（ステップＳ２５）。さらに、制御部２１は表示ドライバ２４等へ制御信号を送信し、第１表示部１３をオフ（ステップＳ２６）し、第２表示部１４をオンして第２表示部１４に基本的な機器のステータスを逆像表示する（ステップＳ２７）。基本的な機器のステータス表示は例えば電池残量、電波状況、時計、着信通知等である。このように第１マナーモードが設定されている場合には第１状態であっても第１マナーモードとなる。
【００９９】
第１ホール素子がオフの場合は制御部２１は第２ホール素子の状態を判断する。第２ホール素子がオンの場合（ステップＳ２８）第４状態である（図６参照）。マナーモード設定手段３５は第１マナーモードが設定されているか判断し（ステップＳ２９）。設定されている場合はマナーモード設定手段３５は第１マナーモードの登録情報を取得する（ステップＳ３０）。設定されていない場合はマナーモード設定手段３５は第２マナーモードの登録情報を取得する（ステップＳ３１）。
【０１００】
これにより、第１マナーモードが設定されていれば、制御部２１を介して着信音オフ、バイブレータオン、伝言メッセージオン、表示部への表示オン、集音量高感度に設定され、第１マナーモードが設定されていない場合は、第２マナーモード（各種着信音オフ、バイブレータオン、伝言メッセージオン、ボタン確認音オフ、集音量通常）が自動的に設定される。
【０１０１】
第４状態は、例えば電車内などでメールの閲覧や、静止画の表示、動画の再生などを行ったり、会議中にメールやスケジュールの確認を行う場合等が考えられる。すなわち、第１表示部１３は視認したいが、着信音等については周囲に配慮したい場合である。このような場合に第１マナーモードとして高度なマナーモード、あるいはユーザの所望のレベル（登録情報）のマナーモードを設定できれば、周囲に着信音等による迷惑をかけることが少なくなる。
【０１０２】
また、第１表示部１３が露出していることから、例え周囲に配慮する状況でなくても携帯電話機を機能させていると考えられる。つまり、自動的に高度なマナーモードに設定されても着信を認識することができる。
【０１０３】
そして、制御部２１は表示ドライバ２４等に制御信号を送信し、第１表示部１３をオンしてデータを逆像表示する（ステップＳ３２）。また、第２表示部１４もオンし表示データを逆像表示する（ステップＳ３３）。
【０１０４】
図１０を参照して、第１および第２ホール素子がオフの場合、制御部２１は第３ホール素子の状態を判断する（ステップＳ３４）。第３ホール素子がオンの場合は第２状態（図１参照）であるので、マナーモード設定手段３５は、第２マナーモードを設定する（ステップＳ３５）。
【０１０５】
本実施形態では第２状態で第１マナーモードの判断をせず、第２マナーモードが設定される。例えば第１状態で着信後は一般的に筐体を開き第２状態での通話することになる。第２状態は、キー操作部１８が操作可能であるので、第２マナーモードを解除したい場合や、第２状態であっても周囲に配慮して第１マナーモードを設定したい場合には、マナーモードキー１００を押下して第２マナーモードの解除または第１マナーモードの設定をすればよい。第２状態では携帯電話機１を機能させている状態と考えられるので、キー操作によりマナーモードを解除・設定できれば問題はない。
【０１０６】
これにより、ユーザのキー押下により第１マナーモードが設定してあれば、第４状態と、第２状態において自動的に２通りのマナーモードを使い分けることができる。第２状態で通常に通話する場合と、第４状態で第１表示部を視認する場合とでは、周囲の状況が異なる場合が多いので、マナーモードもそれぞれに対応して設定することによりより利便性が向上する。
【０１０７】
さらに、制御部２１は表示ドライバ２４等に制御信号を送信し、第１表示部１３をオンしてデータを正像で表示する（ステップＳ３６）。第２表示部１４は、この場合裏面になるので、オフにする（ステップＳ３７）。
【０１０８】
第１〜第３ホール素子がオフの場合は、第３状態である（図５参照）。キー操作部１８と第１表示部１３は同一面側にはないが、第２状態と同様の理由で、マナーモード設定手段３５は第１マナーモードの判断をせず、第２マナーモードを設定する（ステップＳ３８）。第１表示部１３をオンして正像でデータを表示し（ステップＳ３９）、第２表示部１４をオフする（ステップＳ４０）。
【０１０９】
なお、上述の第２の実施形態では、第１〜第３ホール素子３０ａ〜３０ｃを用いて第１筐体２と第２筐体６の回転および／または折畳み状態を検知し、その検知結果に応じて第２マナーモードを設定するようにしたが、これに限定されるものではない。例えば、第１ホール素子３０ａを用い、第１表示部１３が内側になるように閉じた状態（第１状態）と、それ以外の状態（第２〜第４状態）とを検知し、その検知結果に応じて第２マナーモードを設定する、すなわち、第１表示部１３が内側になるように閉じられていない状態（第２〜第４状態）において、第２マナーモードに設定するようにしてもよく、このように構成することで、マナーモードの自動設定を少ないホール素子およびマグネットで実現することができる。また、マグネットの削減によって無線通信の際の電磁波への影響を最小限に抑えることができる。
【０１１０】
また、上述の第２の実施形態では、第１表示部１３が内側になるように閉じられていない状態（第２〜第４状態）において第２マナーモードに設定するようにしたが、これに限定されるものではない。例えば、キー操作部１８と第１表示部１３を同一面側から視認可能に開いた状態（第２状態）またはキー操作部１８と第１表示部１３とが同一面側から視認不可能となるよう開いた状態（第３状態）あるいは第１表示部１３が外側になるように閉じた状態（第４状態）のうち、１つまたは２つの状態で第２マナーモードに設定するようにしてもよい。特に、第１表示部１３が外側になるように閉じた状態（第４状態）において、無線通信機能を不動作にする第２マナーモードに設定することで、例えば電車内や病院などでメールの閲覧や、静止画の表示、動画の再生などを行う際に非常に便利であり、また第１表示部１３が外側になるように閉じた状態（第４状態）では無線通信機能が不動作であることを、広告媒体等を通じて万人に知らしめることで、周囲にも安心感を与えることができる。
【０１１１】
更に、上述の第２の実施形態では、ユーザによって任意に設定される第１マナーモードと、第１筐体２と第２筐体６の回転および／または折畳み状態に応答して自動的に設定される第２マナーモードの２つのマナーモードを備えた場合について説明したが、これに限定されるものではなく、例えば第２マナーモードを更に細分化し、複数設けるようにしてもよい。特に、第１筐体２と第２筐体６を開いた状態（第２、第３状態）で、着信音の出力を禁止してバイブレータを動作させたり集音を高感度にする第２マナーモード（Ａ）に設定し、第１表示部１３が外側になるように閉じた状態（第４状態）で、無線通信機能を不動作にする第２マナーモード（Ｂ）に設定することで、メール送信や通話を行う際の手間を増やすことなく、電車内や病院などでメールの閲覧や、静止画の表示、動画の再生などを行う際の手間を省くことができる。
【０１１２】
以上、本実施の形態では、クラムシェルタイプの携帯電話機について説明を行なったが、本発明による携帯情報端末はこれに限定されない。たとえば、通信機能を備えた携帯情報端末（ＰＤＡ：ｐｅｒｓｏｎａｌ  ｄｉｇｉｔａｌ  ａｓｓｉｓｔａｎｔｓ）等であってもよい。
【図面の簡単な説明】
【０１１３】
【図１】この発明の実施の形態における携帯電話機の開いた状態を示す斜視図である。
【図２】図１中の携帯電話機の閉じた状態を示す斜視図である。
【図３】図２中の矢印ＩＩＩから見た携帯電話機を示す斜視図である。
【図４】図１中の第１表示部が設けられた筐体を回転させた場合の携帯電話機を示す斜視図である。
【図５】図１中の第１表示部が設けられた筐体を回転させた場合の携帯電話機を示す別の斜視図である。
【図６】図１中の第１表示部が設けられた筐体を回転・折畳んだ場合の携帯電話機を示すさらに別の斜視図である。
【図７】本発明の実施の形態における携帯電話機の構成を示すブロック図である。
【図８】本発明の第１の実施の形態における携帯電話機のマナーモード設定処理フロー図である。
【図９】本発明の第２の実施の形態における携帯電話機のマナーモード設定処理フロー図である。
【図１０】本発明の第２の実施の形態における携帯電話機のマナーモード設定処理フロー図である。
【図１１】従来技術を示す概要図である。
【符号の説明】
【０１１４】
１、２００  携帯電話機
２、６、８、１０１、１０５  筐体
３  ベース部
３ａ、３ｂ、７ａ、７ｂ、８ａ、８ｂ  表面
４  突出部
５  回動軸
７  ヒンジ部
９  回転軸
１０  レンズ
１２  アンテナ  
１３  第１表示部
１４  第２表示部
１５  フラッシュ
１７、２２  スピーカ  
１８  キー操作部
１８ａ  機能ボタン群
１８ｂ  入力ボタン群
２０    マイク
２１  制御部
２４  表示ドライバ
２７  カメラ部
３０  状態検知手段
３０ａ  第１ホール素子
３０ｂ  第２ホール素子
３０ｃ  第３ホール素子
３０ｄ  第１マグネット
３０ｅ  第２マグネット
３１  音声制御部
３３  音声入出力部
３５  マナーモード設定手段
３７  バイブレータ
【図１】
2005198171.tif 000003
【図２】
2005198171.tif 000004
【図３】
2005198171.tif 000005
【図４】
2005198171.tif 000006
【図５】
2005198171.tif 000007
【図６】
2005198171.tif 000008
【図７】
2005198171.tif 000009
【図８】
2005198171.tif 000010
【図９】
2005198171.tif 000011
【図１０】
2005198171.tif 000012
【図１１】
2005198171.tif 000013